(57)【特許請求の範囲】
【請求項１】
患者の下半身を覆う腰巻き部と、
該腰巻き部の内側に取り付けられたパンツ部とから成り、
前記腰巻き部は、腰巻き部後身頃と、展開可能な左右の腰巻き部前身頃と、当該左右の腰巻き部前身頃に設けられ、閉じられた状態を維持する着脱自在の固定具とを有し、
前記パンツ部は、前記腰巻き部の上縁に一体に取り付けられてパンツ状態とされており、前記左右の腰巻き部前身頃が閉じられた状態で各腰巻き部前身頃に覆われると共に、各腰巻き部前身頃が展開された状態においても、パンツ状態のまま露出することを特徴とする患者衣。
【請求項２】
前記腰巻き部及びパンツ部は不織布にて構成されていることを特徴とする請求項１に記載の患者衣。
【請求項３】
前記パンツ部は、上部が前記腰巻き部に取り付けられたパンツ部後身頃とパンツ部前身頃とから成り、
少なくとも前記パンツ部前身頃の外面には防水部材が設けられ、若しくは、少なくとも前記パンツ部前身頃の外面は防水加工が施されていることを特徴とする請求項１又は請求項２に記載の患者衣。
【請求項４】
前記パンツ部は、上部が前記腰巻き部に取り付けられたパンツ部後身頃とパンツ部前身頃とから成り、
前記パンツ部前身頃には、相互に結ばれて当該パンツ部前身頃の幅を狭める紐が取り付けられていることを特徴とする請求項１乃至請求項３のうちの何れかに記載の患者衣。
【発明の詳細な説明】
【技術分野】
【０００１】
本発明は、手術用着衣に関し、より具体的には血管造影検査を含んだ血管造影手術及び／またはこれを用いた一般手術時に医療用として使用することができる患者衣に関するものである。
【背景技術】
【０００２】
従来の医療現場において、鼠径部の動脈や上腕動脈等からカテーテルを被治療者（患者）の体内に挿入し、循環器系疾患等の治療や、検査がしばしば行われている。例えば一般的な放射線では見えない血管に、患者の体内に挿入したカテーテルから造影剤という診断試薬を注射した後、Ｘ線写真撮影またはＸ線映画撮影をし、血管の形態や血行動態を観察していた。
【０００３】
カテーテルの挿入は実施件数の７〜８割が鼠径部の動脈を用いることが最も多く占めている。該鼠径部の動脈にカテーテルを挿入する際、患者は鼠径部を露出しなければならない。そこで、患者が施術及び手術を受ける以前にプライバシーが侵害されないように、一般的な半ズボン、または、トランクス状の施術及び手術用パンツを自分で着用していた。この施術及び手術用パンツは、腰巻きのように前側で重ね合わせられ、そこに設けられた脱着手段により結合されていた。また、施術及び手術用パンツの重ね合わせ部分より離間する方向に前中心シートが設けられ、その裏面（患者側）に接着手段を備えた補助シートが設けられていた。
【０００４】
患者が検査用ベッドまたは手術用ベッドに横になると医療要員が脱着手段により結合されている患者の左側（または右側）で施術及び手術用パンツの前側となる前側部シートと前中心シートとを切断して分離した後、前側部シート部分を外側に広げて患者の、左側の太股の一部を露出させていた。このとき、患者の陰部（股ぐら部分）は前中心シートによって閉塞して、患者のプライバシーの侵害を防止していた。
【０００５】
次に、補助シート後面に設けられた接着手段の保護フィルムを除去し、露出された接着手段の接着部を、大腿動脈に該当する部分が露出された状態で、患者の内側太股に付着させていた。このような状態で、治療・検査時に鼠径部等に対して処置を行っていた（特許文献１参照）。
【特許文献１】特開２００７−３２１３３０
【発明の開示】
【発明が解決しようとする課題】
【０００６】
しかしながら、前側で重ね合わせられた一般的な半ズボン、または、トランク状の施術及び手術用パンツでは陰部を覆うために前中心シートの裏面に両面粘着テープを設け、その両面粘着テープで患者に貼付固定していたため、患者の表面が汗ばんでいたり濡れていると陰部覆布片を貼付固定することができない。また、患者の体毛に両面粘着テープが貼付けられると、陰部覆布片を患者から剥がす際同時に体毛が引っ張られて痛みを感じてしまうなどの不都合が生じていた。
【０００７】
また、手術室への入退室時に一般的な半ズボン、または、トランク状の施術及び手術用パンツだけでは、人目もはばかるので、その上に鼠径部を容易に露出可能で、且つ、腰から足首位まで覆えると共に、前開きのガウン風な着衣を着て、施術及び手術用パンツの上を覆わなければならなかった。そのため、それら施術及び手術用パンツと前開きのガウン風な着衣な着衣との両方を着脱するのが煩雑であった。
【０００８】
本発明は、係る従来技術の課題を解決するために成されたものであり、患者のプライバシーの保護を確実にし、着脱を極めて容易に行うことができる患者衣を提供することを目的とする。
【課題を解決するための手段】
【０００９】
上記課題を解決するために、本発明の患者衣は、患者の下半身を覆う腰巻き部と、該腰巻き部の内側に取り付けられたパンツ部とから成り、腰巻き部は、腰巻き部後身頃と、展開可能な左右の腰巻き部前身頃と、当該左右の腰巻き部前身頃に設けられ、閉じられた状態を維持する着脱自在の固定具とを有し、パンツ部は、腰巻き部の上縁に一体に取り付けられてパンツ状態とされており、左右の腰巻き部前身頃が閉じられた状態で各腰巻き部前身頃に覆われると共に、各腰巻き部前身頃が展開された状態においても、パンツ状態のまま露出することを特徴とする。
【００１０】
請求項２の発明の患者衣は、上記において、腰巻き部及びパンツ部は不織布にて構成されていることを特徴とする。
【００１１】
また、請求項３の発明の患者衣は、請求項１又は請求項２において、パンツ部は、上部が腰巻き部に取り付けられたパンツ部後身頃とパンツ部前身頃とから成り、少なくともパンツ部前身頃の外面には防水部材が設けられ、若しくは、少なくともパンツ部前身頃の外面は防水加工が施されていることを特徴とする。
【００１２】
また、請求項４の発明の患者衣は、請求項１乃至請求項３において、パンツ部は、上部が腰巻き部に取り付けられたパンツ部後身頃とパンツ部前身頃とから成り、パンツ部前身頃には、相互に結ばれて当該パンツ部前身頃の幅を狭める紐が取り付けられていることを特徴とする。
【発明の効果】
【００１３】
本発明によれば、患者衣は、患者の下半身を覆う腰巻き部と、該腰巻き部の内側に取り付けられたパンツ部とから成るので、例えば、従来では陰部を１枚の不織布で覆い隠し、両面粘着テープで不織布を患者に粘着固定し、その表面に袖を備えた前開きのコート風の患者衣を着用して患者の下半身を覆っていたが、腰巻き部に一体にパンツ部を取り付けることで、陰部を覆うための不織布が不要となり、患者の羞恥心を和らげることができる。また、腰巻き部を捲り上げればパンツ部を露出させることができるので、鼠径部の動脈にカテーテルを挿入するときも邪魔になりにくい。従って、患者衣の利便性を大幅に向上させることができるようになるものである。
【００１４】
また、腰巻き部は、腰巻き部後身頃と、展開可能な左右の腰巻き部前身頃と、当該左右の腰巻き部前身頃に設けられ、閉じられた状態を維持する着脱自在の固定具とを有し、左右の腰巻き部前身頃が閉じられた状態で各腰巻き部前身頃に覆われると共に、各腰巻き部前身頃が展開された状態では露出するようにしたので、左右の腰巻き部前身頃を閉じればパンツ部は覆われてプライバシーを守ることができ、患者の恥ずかしさを解消することができる。また、腰巻き部の両前身頃を左右に展開すれば、パンツ部が現れ、鼠径部も露出するので、その付近の消毒が容易に行え、そのまま手術することができると共に、展開された左右の腰巻き部前身頃は手術台上に敷かれるかたちとなり、そのまま敷物の役割を果たし、手術台が汚れてしまうなどと言った不都合を未然に阻止することが可能になる。従って、患者衣の利便性を極めて向上させることができるようになるものである。
【００１５】
特に、パンツ部は、腰巻き部の上縁に一体に取り付けられてパンツ状態とされているので、患者が横になって手術準備等を行う際、固定具を分離して左右の腰巻き部前身頃を展開したときにも、パンツ部はパンツ状態のまま、陰部を覆うかたちとなるので、患者のプライバシーが侵害されてしまうことがないものである。
【００１６】
また、請求項２の発明によれば、腰巻き部及びパンツ部は不織布にて構成されているので、例えば、不織布をパンツ部の形状に裁断したままの状態で縁部の解れ防止処置を施す手間が省ける。これにより、安価な患者衣を提供することが可能となる。従って、安価な患者衣なので、使い捨てとして使用することもでき、患者衣の低コスト化を図ることができる。
【００１７】
また、請求項３の発明によれば、請求項１又は請求項２において、パンツ部は、上部が腰巻き部に取り付けられたパンツ部後身頃とパンツ部前身頃とから成り、少なくともパンツ部前身頃の外面には防水部材が設けられ、若しくは、少なくともパンツ部前身頃の外面は防水加工が施されているので、例えば、手術時に鼠径部付近の消毒を行う際、当該消毒液がパンツ部上に垂れた場合、パンツ部前身頃内面を構成する不織布まで浸透してしまうことがない。これにより、垂れた消毒液によってパンツ部前身頃を構成する不織布が濡れることがないのでないので、手術後にパンツ部を構成する不織布が消毒液によって濡れている不快感を解消することが可能となる。
【００１８】
また、請求項４の発明によれば、請求項１乃至請求項３の発明においてパンツ部は、上部が腰巻き部に取り付けられたパンツ部後身頃とパンツ部前身頃とから成り、パンツ部前身頃には、相互に結ばれて当該パンツ部前身頃の幅を狭める紐が取り付けられているので、鼠径部の動脈を露出させたままの状態で維持させることができる。これにより、例えば鼠径部付近の消毒が容易に行え、当該鼠径部の動脈にカテーテルを挿入し易くすることができると共に、パンツ部でカテーテルを圧迫してしまうなどと言った不都合を未然に防止することができる。
【図面の簡単な説明】
【００１９】
【図１】本発明の一実施例を示す患者衣の正面図である。
【図２】本発明の患者衣を構成する腰巻き部の接合片を相互に離間させた状態を示す斜視図である。
【図３】本発明の患者衣を構成する腰巻き部の正面図である。
【図４】本発明の患者衣を構成する腰巻き部の接合片を相互に離間させてパンツ部の取り付け状態を示す正面図である。
【図５】本発明の患者衣を構成するパンツ部の正面図である。
【図６】本発明の一実施例を示す他の患者衣を構成する腰巻き部の接合片を相互に離間させた状態を示す斜視図である。
【発明を実施するための最良の形態】
【００２０】
本発明は、患者のプライバシー保護を確実に守ることができて容易に鼠径部の手術が行えることを特徴とする。プライバシーを保護し、容易に鼠径部の手術が行えるという目的を、腰からふくらはぎ或いは足首位まで覆える腰巻き部と陰部を覆い鼠径部を露出することができるパンツ部を一体に設けるだけの簡単な構造で実現した。
【実施例１】
【００２１】
次に、図面に基づき本発明の実施の形態を詳述する。図１は本発明の一実施例を示す患者衣１０の正面図、図２は本発明の患者衣１０を構成する腰巻き部１２の接合片を相互に離間させた状態を示す斜視図、図３は本発明の患者衣１０を構成する腰巻き部１２の正面図、図４は本発明の患者衣１０を構成する腰巻き部１２の接合片を相互に離間させてパンツ部４０の取り付け状態を示す正面図、図５は本発明の患者衣１０を構成するパンツ部４０の正面図をそれぞれ示している。
【００２２】
本実施形態における患者衣１０は、図１、図２に示すように、鼠径部の動脈からカテーテルが身体内に挿入される患者の腰上からふくらはぎ位までの周囲を覆う腰巻き部１２と、この腰巻き部１２の内側に設けられたパンツ部４０とから構成されている。該患者衣１０は、施術及び手術（以降施術及び手術を手術と称す）が行われる患者が着用後に不便を感じず、患者の皮膚が傷ついたり、皮膚が「ちくちく」して痛むなどの違和感を抱かない不織布にて構成されている。
【００２３】
腰巻き部１２は、患者が着用したときに腰巻き状態（前開きのスカート状態）になるもので、患者が着用していない状態では、図３に示すように略矩形状に形成された不織布にて丈約７００ｍｍ、幅約１３６０ｍｍに形成されている。詳しくは、腰巻き部１２はＳ、Ｍ／Ｌ、ＸＬの３種類の大きさが用意されており、スカートの様に胴周り寸法（図３上部）が細くなるように、また、裾周り寸法（図３下部）が大きくなるように構成されている。そして、Ｓサイズは、丈約７００ｍｍ、胴周り寸法約４５０ｍｍ、裾周り寸法約１０６ｍｍに形成され、Ｍ／Ｌサイズは、丈約７００ｍｍ、胴周り寸法約６００ｍｍ、裾周り寸法約１３６０ｍｍに形成され、ＸＬサイズは、丈約７００ｍｍ、胴周り寸法約７００ｍｍ、裾周り寸法約１４６ｍｍに形成されている。尚、患者衣１０は、不織布がプレスで腰巻き部１２やパンツ部４０の形状に型抜きされる。
【００２４】
また、腰巻き部１２は、当該腰巻き部１２を患者が身体の下半身に巻き付けた状態で略円筒形（図１）に構成され、患者の胴周りに保持される保持部１４（胴周り寸法部分）が設けられ、この保持部１４に設けられた弾性部材（実施例ではゴム紐）によって伸縮自在に構成されている。そして、腰巻き部１２を患者が身体に着用した際、上縁部に設けた弾性部材によって、当該腰巻き部が患者の胴に保持できるように構成されている。尚、腰巻き部１２は、前述したように当該腰巻き部１２を着用する患者の身体の大きさ（胴周りの大きさ）によって３種類のサイズが用意される。
【００２５】
該腰巻き部１２は、患者の前側を覆う腰巻き部前身頃１６（図１のみ図示）と、患者の後面を覆う腰巻き部後身頃３６とから構成されており、腰巻き部１２が患者の身体に着用された状態で前側の略中心で腰巻き部１２の両縁が重ね合わされる。即ち、腰巻き部１２は、患者自身からみて前面（腹側）を覆う腰巻き部前身頃１６（患者自身からみて前面右側を覆う腰巻き部右前身頃２０と前面左側を覆う腰巻き部左前身頃３０）と、患者の後面（背中側）を覆う腰巻き部後身頃３６とから構成されている。尚、左右どちら側の鼠径部の動脈にでもカテーテルが身体内に挿入し易いように、腰巻き部１２の両縁は患者の、身体の前側の略中心で重ね合わされる。
【００２６】
腰巻き部右前身頃２０の縁部（図２左端）には上端から下端に渡って右前身頃接合縁２２、腰巻き部左前身頃３０の縁部（図２右端）には上端から下端に渡って左前身頃接合縁３２が設けられている。両前身頃接合縁２２、３２には面ファスナー２４（本発明の固定具に相当）が設けられており、この面ファスナー２４は両前身頃接合縁２２、３２の上端から下端に渡って略等間隔で設けられている
【００２７】
該面ファスナー２４は、例えばループとフックの噛み合わせによって相互に着脱自在の、所謂マジックテープ（登録商標）にて構成されており、図３では左前身頃接合縁３２には表面側にループ、右前身頃接合縁２２には裏面側にフックが設けられている。以降ループ及びフックから構成される固定具を面ファスナー２４と称す。また、最下端部には面ファスナー２４は設けられていない。
【００２８】
そして、腰巻き部１２の保持部１４を、患者の腰周り部分に位置して周囲を覆い、右前身頃接合縁２２の面ファスナー２４と対向する左前身頃接合縁３２の面ファスナー２４とを重ね合わせて相互に圧接する。このとき、患者自身からみて、腰巻き部右前身頃２０を身体側に位置して、その上に腰巻き部左前身頃３０を重ね合わせると共に、右前身頃接合縁２２と左前身頃接合縁３２を両足の間に位置させる。これによって、面ファスナー２４が接合され、腰巻き部右前身頃２０（右前身頃接合縁２２）と腰巻き部左前身頃３０（左前身頃接合縁３２）とが相互に接合される。この状態で、略矩形状の不織布が略円筒形になって、腰巻き部１２は、前開きの腰巻き状態（前開きのスカート状態）で患者の腰周りを覆えるように構成されている。
【００２９】
前記、パンツ部４０は図４に示すように腰巻き部１２に取り付けられた状態で、単独のパンツが腰巻き部１２に取り付けられたような状態になるように構成されている。即ち、パンツ部４０がパンツ形状になる以前の形状は、図５に示すようにカタカナの「エ」字形状に形成されている。該パンツ部４０は、上下方向略中間に位置する覆い部４５と、その下方側に位置するパンツ部前身頃４２と、上方側に位置するパンツ部後身頃４６とから構成されている。該パンツ部４０の陰部と対応する部分には、当該パンツ部４０を着用したときの肌触りを良好にするために、後述する前身頃縫い付け片４４から後身頃縫い付け片４８間に渡って、患者衣１０を構成する不織布よりも柔らかい幅約１３０ｍｍ、長さ約７２０ｍｍの、略矩形状の軟性不織布４７が縫い付けられている。尚、パンツ部４０は、図５に示すカタカナの「エ」字形状ではパンツになっておらず、腰巻き部１２に一体にパンツ部４０が縫い付けられることによりパンツ状態になるので、パンツではなくパンツ部４０と称している。また、図５のパンツ部４０は、腰巻き部１２に縫い付けられ、パンツ状態になったときの内面側を展開したときの正面図を示している。
【００３０】
該パンツ部４０は、パンツ部前身頃４２の下端が左右に略同等寸法に延在して腰巻き部１２の腰巻き部前身頃１６の上縁となる保持部１４に縫い付けられる前身頃縫い付け片４４が形成されている。また、パンツ部４０は、パンツ部後身頃４６の上端が左右に略同等寸法に延在して腰巻き部１２の腰巻き部後身頃３６の上縁となる保持部１４に縫い付けられる後身頃縫い付け片４８が形成されている。
【００３１】
パンツ部４０の覆い部４５は、陰部を覆う部分で幅約１４０ｍｍ〜１６０ｍｍ、長さ約３００ｍｍに形成されている。パンツ部前身頃４２は、覆い部４５から離間するに従って徐々に幅広になって前身頃縫い付け片４４まで延在すると共に、パンツ部後身頃４６は覆い部４５から離間するに従って徐々に幅広になって後身頃縫い付け片４８まで延在している。具体的には、Ｓサイズの覆い部４５は、幅約１４０ｍｍ、長さ約６６０ｍｍ、Ｍ／Ｌサイズの覆い部４５は、幅約１６０ｍｍ、長さ約７３０ｍｍ、ＸＬサイズの覆い部４５は、幅約１６０ｍｍ、長さ約９３０ｍｍに形成されている。尚、覆い部４５の上下方向に連続してパンツ部前身頃４２とパンツ部後身頃４６が形成されている。
【００３２】
ここで、手術を実施する前処理（カテーテル挿入の前処理）として、鼠径部付近の消毒をしなければならない。消毒は、パンツ部４０も鼠径部に近いため消毒液を使用して鼠径部と一緒に消毒をすることになる。パンツ部４０防水が施されていない場合、消毒液が浸みこみ患者への不快感を与えてしまう。そこで、パンツ部４０を構成するパンツ部前身頃４２の外面（パンツ部４０を構成する不織布に対して身体と反対側の面）には防水を目的とする防水部材５２（図５裏面側）が設けられている。
【００３３】
該防水部材５２は、ナイロンやビニール或いはポリエチレン等のフィルムにて構成されており、この防水部材５２は熱接着剤やボンド或いは両面接着剤などでパンツ部前身頃４２の外面に固定されている。即ち、パンツ部前身頃４２は、身体側の不織布と、身体と反対側の外面に設けられた防水部材５２との２層構造素材にて構成されており、その内側（不織布の内側）には前記柔軟性不織布４７が縫い付けられている。尚、パンツ部前身頃４２を、不織布と柔軟性不織布４７との２層構造素材としているが、不織布の外面に直接ナイロンやビニール或いはポリエチレン等をコーティングした防水構造としても差し支えない。
【００３４】
これによって、手術時に鼠径部付近の消毒を行う際、当該消毒液がパンツ部４０上に飛散したり垂れたりした場合、パンツ部前身頃４２内面を構成する不織布まで消毒液が浸透してしまうことがない。また、飛散したり垂れたりした消毒液によってパンツ部前身頃４２を構成する不織布が濡れることがないのでないので、手術後にパンツ部４０を構成する不織布が消毒液によって濡れている不快感を感じることがない。
【００３５】
前記前身頃縫い付け片４４は、幅約３５ｍｍ、長さ約５００ｍｍ〜６２０ｍｍに形成され、後身頃縫い付け片４８は、幅約３５ｍｍ、長さ約３００ｍｍ〜４００ｍｍに形成されている。詳しいサイズは、Ｓサイズの前身頃縫い付け片４４は、幅約３５ｍｍ、長さ約５００ｍｍ、Ｍ／Ｌサイズの前身頃縫い付け片４４は、幅約３５ｍｍ、長さ約６００ｍｍ、ＸＬサイズの前身頃縫い付け片４４は、幅約３５ｍｍ、長さ約６２０ｍｍに形成されている。また、Ｓサイズの後身頃縫い付け片４８は、幅約３５ｍｍ、長さ約３００ｍｍ、Ｍ／Ｌサイズの後身頃縫い付け片４８は、幅約３５ｍｍ、長さ約４００ｍｍ、ＸＬサイズの後身頃縫い付け片４８は、幅約３５ｍｍ、長さ約４００ｍｍに形成されている。
【００３６】
パンツ部４０は、パンツ部前身頃４２に設けられた前身頃縫い付け片４４の両端部のみが腰巻き部１２の腰巻き部前身頃１６の保持部１４に縫い付けられ、パンツ部後身頃４６に設けられた後身頃縫い付け片４８の一端から他端までが腰巻き部１２の腰巻き部後身頃３６の保持部１４に縫い付けられる。このように、パンツ部４０の前身頃縫い付け片４４と後身頃縫い付け片４８とが腰巻き部１２に縫い付けられることにより、腰巻き部１２とパンツ部４０が一体に取り付けられてパンツ部４０がパンツになるように構成されている。
【００３７】
この状態で、パンツ部４０の前身頃縫い付け片４４の両端部と後身頃縫い付け片４８の両端部は、少許隙間を有している。この場合、パンツ部４０に設けられた前身頃縫い付け片４４の両端部を腰巻き部１２の保持部１４に縫い付ける際、後身頃縫い付け片４８の両端部に対して隙間を開けられるように構成されている。詳しくは、パンツ部４０に設けられた前身頃縫い付け片４４を保持部１４に縫い付ける際、後身頃縫い付け片４８の両端部と前身頃縫い付け片４４の両端部の隙間を調整できるように構成されている。これにより、患者衣１０は、異なる胴周りの患者によって、保持部１４の長さを調整（パンツの胴回り長さを調整）できるように構成されている。
【００３８】
即ち、患者衣１０は、腰巻き部１２とパンツ部４０とを一体に取り付け、保持部１４が患者の胴周りに保持されるので、パンツ部４０を腰巻き部１２に縫い付ける際、パンツ部４０の前身頃縫い付け片４４の両端部と後身頃縫い付け片４８の両端部との隙間を調整することによって、胴周りの太い患者用、胴周りの細い患者用やその中間の胴回りの患者用として作ることが可能となる。これによって、胴周りの太い患者用、胴周りの細い患者用やその中間の胴周りの患者用でも略１種類の患者衣１０だけで済む。
【００３９】
また、パンツ部前身頃４２には、幅約７ｍｍ、長さ約２００ｍｍの紐５０が設けられている。紐５０は、患者が手術を受ける際、覆い部４５が邪魔になったときにパンツ部前身頃４２の幅を狭めるためのもので、患者衣１０と同じ不織布にて構成されている。紐５０は、図４に示すようにパンツ部前身頃４２の覆い部４５に位置すると共に、鼠径部近傍で覆い部４５の両縁側に位置して縫い付けられて固定されている。
【００４０】
そして、両紐５０が相互に結ばれることにより、パンツ部前身頃４２の幅を狭められるように構成されている。これにより、覆い部４５が邪魔になったときに鼠径部の動脈にカテーテルを挿入し易いように、一時的に鼠径部の動脈を露出させたままの状態に維持させて、パンツ部４０の覆い部４５でカテーテルを圧迫してしまうなどと言った不都合を確実に防止することができる。
【００４１】
尚、両紐５０が相互に結ばれることにより、パンツ部前身頃４２の幅を狭められるようにしているが、これによってパンツ部前身頃４２の幅が狭められ過ぎて陰部が露出してしまうのを防止しなければならない。そこで、パンツ部前身頃４２の幅が狭められ過ぎて陰部が露出してしまうなどの不都合を防止する方法として、パンツ部前身頃４２側の幅を例えば、幅約５０ｍｍに構成して、両紐５０を相互に結んだ際、パンツ部前身頃４２の幅がそれ以上狭められないように構成すればよい。
【００４２】
この場合、患者衣１０は不織布がプレスにて型抜きされているので、同時に紐５０をプレスで型抜きするように構成すればよい。この場合、一度プレス抜き型を造れば、紐５０のランニングコストを抑えることができる。また、パンツ部前身頃４２の幅が狭められないように、パンツ部前身頃４２の両端から所定寸法内側に両紐５０を縫い付ける。これにより、両紐５０を相互に結んだ際、陰部が露出してしまうなどの不都合を確実に防止して鼠径部の動脈にカテーテルが挿入し易くなる。
【００４３】
一方、患者が手術を受ける前に、患者に患者衣１０が着用される。本実施例の患者衣１０は、患者がパンツ部４０を履いた後、腰巻き部１２の保持部１４を腰周り部分に当てて周囲を覆い、右前身頃接合縁２２の面ファスナー２４と対向する左前身頃接合縁３２の面ファスナー２４とを重ね合わせて相互に圧接する。これによって、面ファスナー２４は相互に接合されて、腰巻き部右前身頃２０と腰巻き部左前身頃３０とが着脱自在に固定される。
【００４４】
患者衣１０の腰巻き部右前身頃２０と腰巻き部左前身頃３０とが固定されると、腰巻き部１２が腰巻き形状（スカート形状）になると共に、弾性部材によって保持部１４が患者の腰周りに好適な弾性で保持される。このとき、患者自身からみて、相互に重ね合わせ固定した右前身頃接合縁２２と左前身頃接合縁３２とを両足の間に位置させる。これにより、患者衣１０は、通常の腰巻き形状（スカート形状）になるので、患者が病院内を歩行した場合でも、患者衣１０の前側が開いてしまわないのでプライバシーが侵害されることがない。
【００４５】
そして、患者が手術を受けるために検査用ベッド或いは手術用ベッドに横になって準備を行い、医療要員が患者に対する手術準備を行う。そして、対向する両面ファスナー２４を相互に離間させて分離し、腰巻き部右前身頃２０と腰巻き部左前身頃３０とを離間方向となる外側に展開して患者の鼠径部を露出させる。このとき、腰巻き部１２の内側にパンツ部４０が一体に設けられており、陰部は当該パンツ部４０により覆われているので、患者のプライバシーが侵害されてしまうことがない。
【００４６】
次に、患者の体型によっても異なるが、パンツ部４０が邪魔をして鼠径部の動脈にカテーテルが挿入し難い場合、カテーテルが挿入し易くなるようにパンツ部前身頃４２の両側に設けられた紐５０を相互に結んで、パンツ部前身頃４２の幅を狭める。このとき、前述した如き紐５０の形状変更や、紐５０の取り付け位置決めを行って、パンツ部前身頃４２の幅が狭められ過ぎるのを防止している。これにより、パンツ部４０で陰部が覆われている状態を維持できるので、患者のプライバシーが侵害されてしまうなどの不都合を確実に防止することができる。尚、患者が患者衣１０のパンツ部４０を履いた状態で、鼠径部の動脈にカテーテルが挿入し易い状態であるならば、あえて両紐５０は結ばなくても差し支えない。
【００４７】
そして、手術が終了した後、紐５０が結ばれているならば、結んだ紐５０を解き、外側に展開した腰巻き部右前身頃２０と、腰巻き部左前身頃３０とを閉じて右前身頃接合縁２２の面ファスナー２４と対向する左前身頃接合縁３２の面ファスナー２４とを相互に重ね合わせて圧接する。この状態で、面ファスナー２４は相互に接合され、腰巻き部１２は腰巻き形状（スカート形状）になると共に、弾性部材によって保持部１４が患者の腰周りに好適な弾性で保持される。これにより、患者衣１０は、患者が検査用ベッド或いは手術用ベッドに横になる以前の状態に戻るので、手術が終了して患者が病院内を歩行した場合でも、腰巻き部１２の前が開くことの恥ずかしさや、プライバシーが侵害されてしまうなどと言った不都合を未然に防止することができる。
【００４８】
このように、患者衣１０は、患者の下半身を覆う腰巻き部１２と、該腰巻き部１２の内側に取り付けられたパンツ部４０とから構成されているので、従来は陰部を１枚の不織布で覆い隠し、両面粘着テープで不織布を身体に粘着固定し、その表面に腰巻きを巻き付けて腰の周囲を覆っていたが、腰巻き部１２に一体にパンツ部４０を取り付けることで、陰部を覆うための不織布が不要となり、患者の羞恥心を大幅に和らげることができる。また、腰巻き部１２を捲り上げれば鼠径部及びパンツ部４０を露出させることができるので、鼠径部の動脈にカテーテルを挿入するときも腰巻き部１２が全く邪魔になることがない。従って、患者衣１０の利便性を大幅に向上させることができるようになる。
【００４９】
また、腰巻き部１２及びパンツ部４０は不織布にて構成されているので、不織布をパンツ部４０の形状に裁断したままで縁部の解れ防止処置を施す手間が省ける。これにより、安価な患者衣１０を提供することができると共に、使い捨てとして使用する場合にも低コスト化を図ることができる。尚、不織布をパンツ部４０の形状に裁断した後、必要によって、縁部の解れ防止処置を施しても差し支えない。
【００５０】
また、腰巻き部１２は、腰巻き部後身頃３６と展開可能な左右の腰巻き部前身頃２０、３０とから構成され、パンツ部４０は、腰巻き部後身頃３６に取り付けられ、左右の腰巻き部前身頃２０、３０が閉じられた状態で各腰巻き部前身頃２０、３０に覆われると共に、各腰巻き部前身頃２０、３０が展開された状態では、鼠径部及びパンツ部４０を露出させることができ、展開した左右の腰巻き部前身頃２０、３０を閉じれば、鼠径部及びパンツ部４０が覆われるので、患者のプライバシーを確実に守ることができて恥ずかしさを解消することができる。
【００５１】
また、パンツ部４０は、パンツ部後身頃４６とパンツ部前身頃４２とから構成され、このパンツ部後身頃４６及びパンツ部前身頃４２の上部がそれぞれ腰巻き部後身頃３６に取り付けられているので、パンツ部４０を単独でパンツのかたちとした後、腰巻き部１２に取り付ける場合に比して、パンツ部後身頃４６の上部を腰巻き部後身頃３６、パンツ部前身頃４２の上部を腰巻き部後身頃３６にそれぞれ別々に取り付けることができる。
【００５２】
また、腰巻き部１２の両前身頃を左右に展開すれば、パンツ部４０が現れ、鼠径部も露出するのでそのまま手術を行うことが可能となる。また、展開された左右の両腰巻き部前身頃２０、３０は手術台上に敷かれるかたちとなり、そのまま敷物の役割を果たせるので、手術台が汚れてしまうなどと言った不都合を未然に阻止することが可能になる。
【００５３】
これにより、パンツ部後身頃４６の上部端とパンツ部前身頃４２の上部端との隙間を任意の幅に狭めたり、広くしたりして取り付けることができるので、腰周りの太い患者や腰周りの細い患者或いはその中間の腰周りの、患者の体型に合わせて作ることが可能となる。また、腰周りの太い患者用、腰周りの細い患者用やその中間の腰周りの患者用でも略１種類の患者衣１０の基材としての不織布を裁断するだけで済む。これにより、患者衣１０の製造が極めて容易となり、患者衣１０のコストを大幅に低減させることができる。
【００５４】
また、少なくともパンツ部前身頃４２の外面には防水部材５２が設けられ、若しくは、少なくともパンツ部前身頃４２の外面は防水加工が施されているので、例えば、手術時に鼠径部付近の消毒を行う際、当該消毒液がパンツ部４０上に垂れた場合、パンツ部前身頃４２内面を構成する不織布まで浸透してしまうことがない。これにより、垂れた消毒液によってパンツ部前身頃４２を構成する不織布が濡れることがないのでないので、手術後にパンツ部４０を構成する不織布が消毒液によって濡れている不快感を解消することが可能となる。
【００５５】
また、パンツ部前身頃４２には、相互に結ばれて当該パンツ部前身頃４２の幅を狭める紐５０が取り付けられているので、紐５０を結んでパンツ部前身頃４２の幅を狭めれば鼠径部の動脈を露出させたままの状態で維持させることができる。これにより、当該鼠径部の動脈にカテーテルが挿入される際、パンツ部前身頃４２が邪魔になってしまう不都合を防止して、鼠径部の動脈にカテーテルを挿入し易くすることができると共に、パンツ部４０でカテーテルを圧迫してしまうなどと言った不都合を未然に防止することが可能となる。
【００５６】
また、左右の腰巻き部前身頃２０、３０には、閉じられた状態を維持するために着脱自在の面ファスナー２４が設けられているので、当該面ファスナー２４を用いた場合には、ループとフックの噛み合わせを離脱させるだけ腰巻き部１２を構成する腰巻き部前身頃１６が左右に展開し、パンツ部４０を露出させることができる。
【００５７】
また、左右の腰巻き部前身頃２０、３０に設けられた面ファスナー２４を重ね合わせてループとフックを噛み合わせれば腰巻き部１２の左右の前身頃を接続固定させることが可能となる。これにより、腰巻き部１２を構成する左右の腰巻き部前身頃２０、３０の開閉を極めて簡単にでき、患者衣１０の利便性を更に向上させることができる。
【実施例２】
【００５８】
次に、図６には本発明の他の実施例の患者衣１０を示している。該患者衣１０は、前述の実施例１と略同じ構成を有している。以下、異なる部分について説明する。尚、前述の実施の形態と同じ部分にはこれと同じ符号を付し、説明を省略する。
【００５９】
該患者衣１０は、実施例１で説明した患者衣１０の紐５０を設けていないもので、他は実施例１の患者衣１０と同等に構成されている。即ち、実施例２では患者衣１０に紐５０を設けていないので、腰巻き部１２を腰に巻いた際患者衣１０を着用した際、紐５０が垂れ下がって、腰巻き部１２の下に垂れ下がって外部から見えてしまうなどと言った不都合を未然に防止することができる。また、腰巻き部１２の下に紐５０が垂れ下がって見えてしまうのを防止できるので、患者が腰巻き部１２の下に紐５０が見えてしまうなどといった恥ずかしさも阻止することができる。
【００６０】
尚、実施例では、腰巻き部１２にパンツ部４０を設けたが、患者衣１０は、腰巻き部１２にパンツ部４０を設けるだけに限られず、袖を備えたコート風の患者衣（図示せず）にパンツ部４０を設けても差し支えない。これにより、より他の患者同様の着衣となるので、美観も損ねず患者のプライバシーを更に確実に保護することができるようになる。
【００６１】
また、実施例では胴周りの太い患者用、胴周りの細い患者用やその中間の、胴周りの患者用の患者衣１０を３種類で説明したが、患者衣１０は３種類の大きさに限られず、パンツ部４０を腰巻き部１２に縫い付ける際、パンツ部４０の前身頃縫い付け片４４の両端部と後身頃縫い付け片４８の両端部との隙間を調整することによって、パンツ部４０の胴回りを調整できるので、子供患者用、大人患者用、太っている患者用を１種類、或いは、２種類の大きさの腰巻き部１２とパンツ部４０で構成しても差し支えない。これにより、大きな患者から子供の患者まで患者衣１０を使用することができ、患者衣１０の利便性を大幅に向上させることができる。
【００６２】
また、実施例では腰巻き部１２を前開きとしたが、腰巻き部１２は前開きだけに限られず、円筒形であっても差し支えない。この場合、腰巻き部１２を捲り上げるだけでパンツ部４０を露出させることができるので、鼠径部から動脈にカテーテルを挿入するときでもパンツ部４０が邪魔になり難くなる。これにより、患者衣１０の利便性を大幅に向上させることができる。
【符号の説明】
【００６３】
１０  患者衣
１２  腰巻き部
１４  保持部
１６  腰巻き部前身頃
２０  腰巻き部右前身頃
２２  右前身頃接合縁
２４  面ファスナー
３０  腰巻き部左前身頃
３２  左前身頃接合縁
３６  腰巻き部後身頃
４０  パンツ部
４２  パンツ部前身頃
４４  前身頃縫い付け片
４５  覆い部
４６  パンツ部後身頃
４７  柔軟性不織布
４８  後身頃縫い付け片
５０  紐
５２  防水部材
【図１】
0005526088.tif 000002
【図２】
0005526088.tif 000003
【図３】
0005526088.tif 000004
【図４】
0005526088.tif 000005
【図５】
0005526088.tif 000006
【図６】
0005526088.tif 000007